(57)【要約】【課題】小部品の交換で簡単に回転方向を変更することができる比較的廉価なコマ玩具を提供すること。【解決手段】胴主体には、時計方向回転用チップの第１の差込み片を反時計方向側の端部で、反時計方向回転用チップの第２の差込み片を時計方向側の端部で択一的に差込み可能な弧状孔が形成され、さらに、胴主体には、結合要素が形成され手動操作可能な可動部が設けられ、時計方向回転用チップ又は反時計方向回転用チップを用いるとともに可動部を手動操作することにより、時計方向回転のときと、反時計方向回転のときとで、結合要素と前記差込み片の抵抗要素との並びを円周方向で変えることとした。【選択図】図５
2020137546.tif 000002
【特許請求の範囲】
【請求項１】
胴体と軸部とを軸心方向から突き合わせて前記軸部に対して前記胴体をコマ玩具の回転方向に回転させることで、前記胴体の第１の結合要素の上面と前記軸部の第２の結合要素の下面とが当接し前記胴体と前記軸部とが結合され、外部衝撃が前記胴体に作用した際に前記軸部に対して前記胴体が前記コマ玩具の回転方向とは反対の方向に回転したときに結合が解除される構造を有するコマ玩具であって、
前記胴体は、胴主体と、チップとを備え、
前記胴主体は、前記チップとして、
下方に突出し下端に抵抗要素を有する第１の差込み片が形成された時計方向回転用チップと、下方に突出し下端に抵抗要素を有し前記第１の差込み片と位置関係が異なる第２の差込み片が形成された反時計方向回転用チップとが択一的に装着可能となっており、
前記胴主体には、軸心と同心的に形成され、前記第１の差込片を反時計方向側の端部に、前記第２の差込片を時計方向側の端部に差込み可能な弧状孔が形成され、
さらに、前記胴主体には、前記第１の結合要素が形成され、第１の位置と第２の位置との間で手動操作可能に構成された可動部が設けられ、前記可動部は、前記胴体と前記軸部との結合が解除される位置を基準にして、前記第１の位置では反時計方向に前記第１の結合要素と前記第１の差込み片の抵抗要素とをこの順で隣設させ、前記第２の位置では時計方向に前記第１の結合要素と前記第２の差込み片の抵抗要素とをこの順で隣設させることを特徴とするコマ玩具。
【請求項２】
前記可動部には、前記第１の位置では前記第２の差込片の差込みを阻止し、前記第２の位置では前記第１の差込み片の差込みを阻止する挿入阻止部が形成されていることを特徴とする請求項１に記載のコマ玩具。
【請求項３】
前記胴主体には、軸心と同心的に形成されランチャのフォークが挿入される弧状スリットが軸心と同心的に形成されると共に、前記弧状スリットに挿入される前記フォークの係止部に係止される被係止部が前記弧状スリットの長手方向の端部に設けられ、
前記コマ玩具は、前記弧状スリット内で前記フォークを前記端部側に移動させて前記係止部により前記被係止部を係止させ、前記フォークの回転によって回転力が付与され、前記フォークの回転停止により前記係止部による前記被係止部の係止が解除され、前記ランチャから放たれるように構成され、
前記時計方向回転用チップには、前記弧状スリットの時計方向側の端部で前記係止部に係止される前記被係止部が形成され、前記反時計方向回転用チップには、前記弧状スリットの反時計方向側の端部で前記係止部に係止される前記被係止部が形成されていることを特徴とする請求項１又は請求項２に記載のコマ玩具。
【発明の詳細な説明】
【技術分野】
【０００１】
本発明はコマ玩具に関するものである。
【背景技術】
【０００２】
従来、時計方向回転用コマ玩具と、反時計方向回転用コマ玩具と、これらのコマ玩具を時計方向又は反時計方向に回転させるランチャとを備えたランチャとから構成された玩具が知られている（例えば、特許文献１参照）。
【先行技術文献】
【特許文献】
【０００３】
【特許文献１】実用新案登録第３０７１３５６号公報
【発明の概要】
【発明が解決しようとする課題】
【０００４】
ところで、このコマ玩具は、胴体と軸部とを軸心方向から突き合わせて軸部に対して胴体をコマ玩具の回転方向に回転させることで、胴体側の第１の爪の上面と軸部側の第２の爪の下面とが当接し胴体と軸部とが結合され、外部衝撃が胴体に作用した際に軸部に対して胴体がコマ玩具の回転方向とは反対の方向に回転したときに結合が解除される構造を有している。また、胴体側の第１の爪の上面と軸部側の第２の爪の下面とを当接させると同時に、胴体側の抵抗要素と軸部側の抵抗要素を係合させている。そして、胴体と軸部との相対回転が段階的に行われるようにしている。
時計方向回転用コマ玩具と反時計方向回転用コマ玩具とでは、胴体と軸部との回転方向が異なるため、胴体に形成される第１の爪と抵抗要素との位置が異なる。そこで、従来においては、時計方向回転用胴体と、第１の爪と抵抗要素との設置位置が異なる反時計方向回転用胴体とを用いていた。
しかしながら、胴体はコマ玩具のうちでも大きな体積を占めることから比較的高価である。
【０００５】
本発明は、かかる点に鑑みなされたもので、小部品の交換で簡単に回転方向を変更することができる比較的廉価なコマ玩具を提供することを目的とする。
【課題を解決するための手段】
【０００６】
第１の手段は、
胴体と軸部とを軸心方向から突き合わせて前記軸部に対して前記胴体をコマ玩具の回転方向に回転させることで、前記胴体の第１の結合要素の上面と前記軸部の第２の結合要素の下面とが当接し前記胴体と前記軸部とが結合され、外部衝撃が前記胴体に作用した際に前記軸部に対して前記胴体が前記コマ玩具の回転方向とは反対の方向に回転したときに結合が解除される構造を有するコマ玩具であって、
前記胴体は、胴主体と、チップとを備え、
前記胴主体は、前記チップとして、
下方に突出し下端に抵抗要素を有する第１の差込み片が形成された時計方向回転用チップと、下方に突出し下端に抵抗要素を有し前記第１の差込み片と位置関係が異なる第２の差込み片が形成された反時計方向回転用チップとが択一的に装着可能となっており、
前記胴主体には、軸心と同心的に形成され、前記第１の差込片を反時計方向側の端部に、前記第２の差込片を時計方向側の端部に差込み可能な弧状孔が形成され、
さらに、前記胴主体には、前記第１の結合要素が形成され、第１の位置と第２の位置との間で手動操作可能に構成された可動部が設けられ、前記可動部は、前記胴体と前記軸部との結合が解除される位置を基準にして、前記第１の位置では反時計方向に前記第１の結合要素と前記第１の差込み片の抵抗要素とをこの順で隣設させ、前記第２の位置では時計方向に前記第１の結合要素と前記第２の差込み片の抵抗要素とをこの順で隣設させることを特徴とする。
【０００７】
第２の手段は、第１の手段であって、前記可動部には、前記第１の位置では前記第２の差込片の差込みを阻止し、前記第２の位置では前記第１の差込み片の差込みを阻止する挿入阻止部が形成されていることを特徴とする。
【０００８】
第３の手段は、第１の手段又は第２の手段であって、
前記胴主体には、軸心と同心的に形成されランチャのフォークが挿入される弧状スリットが軸心と同心的に形成されると共に、前記弧状スリットに挿入される前記フォークの係止部に係止される被係止部が前記弧状スリットの長手方向の端部に設けられ、
前記コマ玩具は、前記弧状スリット内で前記フォークを前記端部側に移動させて前記係止部により前記被係止部を係止させ、前記フォークの回転によって回転力が付与され、前記フォークの回転停止により前記係止部による前記被係止部の係止が解除され、前記ランチャから放たれるように構成され、
前記時計方向回転用チップには、前記弧状スリットの時計方向側の端部で前記係止部に係止される前記被係止部が形成され、前記反時計方向回転用チップには、前記弧状スリットの反時計方向側の端部で前記係止部に係止される前記被係止部が形成されていることを特徴とする。
【発明の効果】
【０００９】
第１の手段によれば、回転方向に応じて第１の結合要素及び抵抗要素の位置を変えることができるので、回転方向を変更しても、胴体と軸部との結合が適切に行える。また、チップの交換と可動部の操作だけで簡単に回転方向を変更することができ、廉価なコマ玩具が実現できる。さらに、抵抗要素の特性（凹凸の数、素材、傾斜等）を変えつつ、回転方向を変えることが可能となる。
【００１０】
第２の手段によれば、誤って回転方向の異なるチップが装着されることを事前に防止することができる。
【００１１】
第３の手段によれば、回転方向に応じて被係止部の位置を変えることができるので、ランチャにてコマ玩具に確実に回転力を付与することができる。
【図面の簡単な説明】
【００１２】
【図１】実施形態のコマ玩具とランチャを示した斜視図である。
【図２】コマ玩具の分解斜視図である。
【図３】軸部及び本実施形態のコマ玩具の一部を断面にした分解斜視図である。
【図４】チップを取り外した胴体を上方から視た平面図である。
【図５】胴部及びその胴部に装着されるチップを下方から視た斜視図である。
【図６】コマ玩具を時計方向に回転させる場合の胴部及びチップの底面図であり、（Ａ）はチップが離脱された状態の胴体を示し、（Ｂ）は時計方向回転用のチップを示している。
【図７】コマ玩具を反時計方向に回転させる場合の胴部及びチップの底面図であり、（Ａ）はチップが離脱された状態の胴体を示し、（Ｂ）は反時計方向回転用のチップを示している。
【発明を実施するための形態】
【００１３】
以下、本発明のコマ玩具を図面に示した実施形態に基づいて説明する。本明細書においては、上下、左右及び前後は図２に示した向きを言うものとする。
【００１４】
《全体構成》
図１は、実施形態のコマ玩具とランチャを示した斜視図である。
このコマ玩具１は、下部構造を構成する軸部１０と、上部構造を構成する性能可変リング３０および胴体４０とによって構成されている。
このコマ玩具１はランチャ（コマ発射装置）６０によって回転力を付与され、バトルフィールドに放たれる。
【００１５】
《細部構成》
１．軸部１０について
軸部１０は、図２に示すように、下部に回転軸１１と、中間部に鍔１２と、上部に円筒部１３とを備えている。回転軸１１、鍔１２及び円筒部１３は合成樹脂で形成されている。勿論、材料は合成樹脂に限定されず、全部又は一部が金属製やゴムその他の材料で形成されていてもよい。
軸部１０の鍔１２の下方部分は、当該鍔１２から回転軸１１に向けて段階的に窄んだ形状となっており、全体として略逆円錐状に形成されている。
鍔１２及び円筒部１３には、前後に孔１５が１つずつ形成されている。また、鍔１２及び円筒部１３には、鍔１２の左右に突出部１６が形成されている。この突出部１６は、鍔１２の上下に位置し、その外面は鍔１２の外周面と面一となっている。
また、図３に示すように、円筒部１３の内側には円柱体１４が立設されている。この円柱体１４の上端は特に限定はされないが円筒部１３の上端よりも僅かに高い位置に設定されている。この円柱体１４の上端部には前後に半径方向外側に張り出す爪（第１の結合要素）１７が１つずつ形成されている。
【００１６】
また、軸部１０は、円筒部１３内側に設けられ上記円柱体１４の上部外周を取り囲む円筒状の可動部材１８を備えている。この可動部材１８の下端部には前後に半径方向外側に張り出す突出片１８ａが１つずつ形成されている。各突出片１８ａは、上記孔１５に挿入されている。可動部材１８は上下方向に移動可能となっている。また、可動部材１８は、円柱体１４の周囲に巻回させたコイルスプリング１９によって上方へ付勢され、常態では、突出片１８ａが孔１５の上縁に当接している。
この可動部材１８の上面１８ｂには、左右に半径方向に延びる凸条（抵抗要素）２０が１つずつ形成されている。
【００１７】
２．性能可変リング３０について
本実施形態では、性能可変リング３０として例えば金属製のフライホイールが用いられている。性能可変リング３０はほぼ板状を成している。この性能可変リング３０の底面には軸部１０の鍔１２が下方から収容可能な環状段部３０ａが形成されている。また、性能可変リング３０の上面には左右方向それぞれに上方に向けて張り出す逆Ｕ字状の突出部３１が１つずつ形成されている。各突出部３１の下側部分には、軸部１０の突出部１６を下方から収容可能な凹部３２が形成されている。一方、性能可変リング３０の上面には、各突出部３１の直ぐ外側に上方に突出する舌片３３が形成されている。
なお、性能可変リング３０としては、フライホイールに代えて或いはフライホイールと一体的で、外周面に突出部があって相手方のコマ玩具１を攻撃し易くしたものや、外周面に凹部があって相手方のコマ玩具１からの攻撃を受け難いものを用いてもよい。
【００１８】
３．胴体４０について
胴体４０は、図５に示すように、胴本体４０Ａとチップ５０とを備え、全体として円盤状を成している。図４に示すように、胴本体４０Ａの天井壁４０ａには、左右に弧状スリット４１が１つずつ形成されている。弧状スリット４１は胴体４０の軸心に同心的に形成されている。また、胴本体４０Ａの天井壁４０ａの上面中央部には、チップ５０を収容する凹部４０ｂが画成されている。凹部４０ｂには、凹部４０ｂとほぼ同形のプレート４２が収容されている。
プレート４２には、左右に弧状孔４２ａが１つずつ形成されている。弧状孔４２ａは胴体４０の軸心に同心的に形成されている。また、プレート４２には、図５に示すように、環状円板４３が添設される。例えば、２つの爪４４ａ、４４ａとプレート４２と間に挟み込まれて環状円板４３が設置されている。勿論、他の方法で設置してもよい。要は、環状円板４３が容易に離脱しないことである。この環状円板４３には、図５に拡大して示すように、軸心を挟み対峙する部位２箇所に下方に向けて突出片４３ａが１つずつ立設されている。各突出片４３ａは、水平断面が円弧状を成し、下端には、半径方向内方に向けて突出する第１の爪４３ｂが形成されている。この突出片４３ａは環状円板４３の本体から内方に突き出して設けられている。この突出片４３ａの上端が挿入阻止部４３ｃを構成する。
【００１９】
４．チップ５０について
まず、時計方向回転用チップ５０ａと反時計方向回転用チップ５０ｂとをまとめてチップ５０として図５を用いて説明する。ちなみに、図５には時計方向回転用チップ５０ａに示されているが、この図５を用いて共通部分について説明する。
チップ５０は、上記凹部４０ｂに収容される盤状体で、凹部４０ｂに嵌め込まれて使用される。
チップ５０は、外周部に弧状スリット４１の端部の幅を狭めるための被係止部５１が形成され、下面には差込み片５２が形成されている。このうち被係止部５１は、弧状スリット４１の一方の端部の幅を狭めて後述のランチャ６０のフォーク６３の突起（係止部）６３ｂによって係止される部分を成す。また、差込み片５２の下端には、半径方向内側に突出する爪５３が設けられ、爪５３の下面には、軸部１０の凸条２０に係合する複数本の凸条（抵抗要素）５４が形成されている。この複数本の凸条５４は上記凸条２０とともに胴体４０と軸部１０との回転抵抗として機能する。
実施形態のコマ玩具１では、このチップ５０として、時計方向回転用チップ５０ａ（図６（Ｂ））と、反時計方向回転用チップ５０ｂ（図７（Ｂ））とを備えている。時計方向回転用チップ５０ａと反時計方向回転用チップ５０ｂとでは、被係止部５１及び差込み片５２の形成位置が互いに異なっている。
時計方向回転用チップ５０ａには、図６（Ａ），（Ｂ）に示すように、胴本体４０Ａに装着した際に弧状スリット４１の時計方向側の端部の幅を狭めることができる位置に被係止部５１ａが形成されている。また、時計方向回転用チップ５０ａには、胴本体４０Ａに装着した際に上面視で弧状孔４２ａの反時計方向側の端部に差し込まれる位置に差込み片５２ａが形成されている。
一方、反時計方向回転用チップ５０ｂには、図７（Ａ），（Ｂ）に示すように、胴本体４０Ａに装着した際に上面視で弧状スリット４１の反時計方向側の端部の幅を狭めることができる位置に被係止部５１ｂが形成されている。また、反時計方向回転用チップ５０ｂには、胴本体４０Ａに装着した際に上面視で弧状孔４２ａの時計方向側の端部に差し込まれる位置に差込み片５２ｂが形成されている。
そして、時計方向回転用チップ５０ａ及び反時計方向回転用チップ５０ｂは、差込み片５２ａ，５２ｂを弧状孔４２ａ，４２ａに差し込んだ状態で、凹部４０ｂに嵌合される。
【００２０】
５．ランチャ６０について
コマ玩具１の回転力のチャージは、図１に示すようなランチャ６０によって行われる。このランチャ６０にはコマ玩具１が装着される。すなわち、フォーク６３が胴体４０の弧状スリット４１に差し込まれる。そして、胴体４０の被係止部５１を突起６３ｂに係合させる。これによって、コマ玩具１がランチャ６０に装着される。
このランチャ６０は、内部に図示しない円板を備え、その円板を図示しないゼンマイばねで一の回転方向に付勢するとともに、円板の周囲に巻回させた図示しない紐をハンドル６１で引くと、円板が回転され、コマホルダ６２が回転されるように構成されている。このコマホルダ６２の回転は、下方に突設されたフォーク６３によってコマ玩具１に伝達され、コマ玩具１を一の回転方向に回転させる。なお、ランチャ６０でコマ玩具１を他の回転方向に回転させるには、ランチャ５０の内部歯車の切り替えを行うか、他のランチャ５０を用いる。
そして、ランチャ６０のハンドル６１を引き切ると、円板ひいてはコマホルダ６２の回転が停止する一方で、コマ玩具１は慣性力によって尚も回転するので、フォーク６３の傾斜面６３ａを倣ってコマ玩具１がコマホルダ６２から外れる。
【００２１】
６．胴体４０、チップ５０の位置関係について
図６は、時計方向に回転させられる場合のコマ玩具１の胴体４０と時計方向回転用チップ５０ａの位置関係を示した下面図である。このコマ玩具１を時計方向に回転させようとする場合には、まず、環状円板４３をＲ位置まで回動させる。この状態では、プレート４２の弧状孔４２ａの時計方向の端部が塞がれる。そして、弧状孔４２ａの塞がれていない部分（斜線部分）に時計方向回転用チップ５０ａの差込み片５２ａを挿入させて時計方向回転用チップ５０ａを胴体４０の上面に画成した凹部４０ｂ（図４参照）に嵌合させて胴体４０に固定する。
この状態におけるコマ玩具１では、弧状スリット４１の時計方向側の端部、つまりＡ部に時計方向回転用チップ５０ａの被係止部５１ａが位置し、弧状スリット４１の端部の幅が狭まる。
そして、この胴部４０に軸部１０の第２の爪１７が係合される。すなわち、軸部１０の爪１７と胴体４０の環状円板４３の爪（第１の爪）４３ｂとが上下方向で重なり結合状態となる。また、時計方向回転用チップ５０ａの凸条５４ａは可動部材１８の凸条２０と係合する。
【００２２】
図７は、反時計方向に回転させられる場合のコマ玩具１の胴体４０と反時計方向回転用チップ５０ｂの位置関係を示した下面図である。このコマ玩具１を反時計方向に回転させようとする場合には、まず、環状円板４３をＬ位置まで回動させる。この状態では、プレート４２の弧状孔４２ａの反時計方向の端部が塞がれる。そして、弧状孔４２ａの塞がれていない部分（斜線部分）に反時計方向回転用チップ５０ｂの差込み片５２ｂを挿入させて反時計方向回転用チップ５０ｂを胴体４０の上面に画成した凹部４０ｂ（図４参照）に篏合させて胴体４０に固定する。
この状態におけるコマ玩具１では、２つの弧状スリット４１の反時計方向側の端部、つまりＢ部に反時計方向回転用チップ５０ｂの被係止部５１ｂが位置し、弧状スリット４１の端部の幅が狭まる。
そして、この胴部４０に軸部１０の第２の爪１７が係合される。すなわち、軸部１０の爪１７と胴体４０の環状円板４３の爪（第１の爪）４３ｂが上下方向で重なり結合状態となる。また、反時計方向回転用チップ５０ｂの凸条５４ｂは可動部材１８の凸条２０と係合する。
【００２３】
本実施形態のコマ玩具１では、予め環状円板４３を時計方向回転位置Ｒ又は反時計方向回転位置Ｌに位置させた上で、それに適合した時計方向回転用チップ５０ａ又は反時計方向回転用チップ５０ｂを選択的に胴体４０に装着することによって胴体４０を時計方向回転用又は反時計方向回転用の胴体４０に変更することができる。
このコマ玩具１においては、例えば、環状円板４３を時計方向回転位置Ｒに位置させた状態で反時計方向回転用チップ５０ｂを胴体４０に取り付けようとした場合、弧状孔４２ａの位置に挿入阻止部４３ｃが位置するため、反時計方向回転用チップ５０ｂを胴体４０に装着できない。逆も同じである。したがって、チップ５０を誤って装着することが防止される。
【００２４】
以上、本発明の実施形態について説明したが、本発明は、かかる実施形態に限定されるものではなく、その要旨を逸脱しない範囲で、種々変形が可能であることは言うまでもない。
【符号の説明】
【００２５】
１    コマ玩具
１０    軸部
１７    爪（第２の爪）
２０    凸条
４０    胴体
４１    弧状スリット
４２ａ    弧状孔
４３    環状円板（可動体）
４３ｂ    爪（第１の爪）
５０ａ    時計方向回転用チップ
５０ｂ    反時計方向回転用チップ
５１ａ，５１ｂ    被係止部
５２ａ，５２ｂ    差込み片
５３ａ，５３ｂ    爪
５４ａ，５４ｂ    凸条
６０    ランチャ
６３    フォーク
【図１】
2020137546.tif 000003
【図２】
2020137546.tif 000004
【図３】
2020137546.tif 000005
【図４】
2020137546.tif 000006
【図５】
2020137546.tif 000007
【図６】
2020137546.tif 000008
【図７】
2020137546.tif 000009